(57)【要約】【課題】  固定用治具を用いなくても、コアをボビンに対して正確な位置に固定でき、しかも、ギャップの位置を正確に決めることができる、トランス用ケースを提供すること。【解決手段】  ケース３が、板部５とリブ部６とからなっており、板部５は内面５１と外面５２とを有しており、リブ部６は、対向している側リブ部分６１と、板部の四隅の隅リブ部分６２と、対向している端リブ部分６３と、を有しており、両方の端リブ部分６３の間の軸方向寸法がボビン２の軸方向長さと同じに設定されており、対向している隅リブ部分６２はコア４を挟持するようになっている。【選択図】  図２
2005033134.tif 000002
【特許請求の範囲】
【請求項１】
２個のＥ型コアを横方向両側からボビンに挿入するタイプのトランスにて、Ｅ型コアの両側脚部とボビンとの間に介設する絶縁ケースにおいて、
板部と、板部から張出したリブ部と、からなっており、
板部は、ボビンのつばの外縁に当接する内面と、コアの側脚部の内面に当接する外面と、を有しており、
リブ部は、板部のボビン円周方向の両縁から上記外面側に張出している側リブ部分と、板部の軸方向の両縁の両隅から、上記内面側と上記外面側と軸方向側の３方向に張出している隅リブ部分と、板部の軸方向の両縁から上記内面側に垂直に張出している端リブ部分と、を有しており、
両端リブ部分の間の軸方向寸法が、ボビンの軸方向長さと同じに設定されており、
ボビン円周方向にて対向している隅リブ部分は、コアを挟持するようになっている、ことを特徴とするトランス用ケース。
【請求項２】
一方の端リブ部分は、上記内面側に且つ軸方向側に傾斜して張出している傾斜リブ部分と、垂直リブ部分と、からなっており、
一方の端リブ部分の垂直リブ部分と他方の端リブ部分との間の軸方向寸法が、ボビンの軸方向長さと同じに設定されており、
傾斜リブ部分の軸方向側に張出している軸方向寸法が、該軸方向寸法と板部の軸方向寸法との和が一方のコアの側脚部の軸方向寸法と他方のコアの側脚部の軸方向寸法との和と等しくなるよう設定されている、請求項１記載のトランス用ケース。
【発明の詳細な説明】
【技術分野】
【０００１】
本発明は、電流共振型コンバータトランスにおいて、コアと巻線との間の絶縁距離を確保するために用いるケースに関するものである。
【背景技術】
【０００２】
トランスの製作は、一般に、まず、巻線をボビンへ巻付け（巻線工程）、次いで、巻線をはんだ付けし（はんだ工程）、次いで、コアをボビンに挿入し（挿入工程）、そして、それらをワニスに浸漬して固定する（ワニス含浸工程）ことにより、行われる。
【０００３】
一方、コアと巻線との間の、安全規格で定められた絶縁距離を確保するために、両者間に絶縁ケースを介在させることが行われている。
【特許文献１】特開２００２−１５３０５９号公報
【発明の開示】
【発明が解決しようとする課題】
【０００４】
ところで、トランスにおいては、ボビンに対してコアの位置が正確に定まっていることが好ましい。特に、コアのギャップの位置は正確に決められるのが好ましい。例えば、ギャップの位置が２ｍｍ程度変化するだけで、リーケージインダクタンスは３０％程度も変化する。
【０００５】
しかしながら、従来では、上記挿入工程後において、コアがボビンに対して十分に固定されていないために、コアが不正確な位置のままでワニス含浸工程によって固定されてしまい、従って、コアの位置がボビンに対して不正確であるという事態が生じていた。また、それを防止するために固定用治具を用いることが提案されているが、そのための費用を要し、生産コストが増すという問題があった。
【０００６】
本発明は、固定用治具を用いなくても、コアをボビンに対して正確な位置に固定できる、トランス用ケースを提供することである。
【課題を解決するための手段】
【０００７】
請求項１記載の発明は、２個のＥ型コアを横方向両側からボビンに挿入するタイプのトランスにて、Ｅ型コアの両側脚部とボビンとの間に介設する絶縁ケースにおいて、板部と、板部から張出したリブ部と、からなっており、板部は、ボビンのつばの外縁に当接する内面と、コアの側脚部の内面に当接する外面と、を有しており、リブ部は、板部のボビン円周方向の両縁から上記外面側に張出している側リブ部分と、板部の軸方向の両縁の両隅から、上記内面側と上記外面側と軸方向側の３方向に張出している隅リブ部分と、板部の軸方向の両縁から上記内面側に垂直に張出している端リブ部分と、を有しており、両端リブ部分の間の軸方向寸法が、ボビンの軸方向長さと同じに設定されており、ボビン円周方向にて対向している隅リブ部分は、コアを挟持するようになっている、ことを特徴とするトランス用ケースである。
【０００８】
請求項２記載の発明は、請求項１記載の発明において、一方の端リブ部分は、上記内面側に且つ軸方向側に傾斜して張出している傾斜リブ部分と、垂直リブ部分と、からなっており、一方の端リブ部分の垂直リブ部分と他方の端リブ部分との間の軸方向寸法が、ボビンの軸方向長さと同じに設定されており、傾斜リブ部分の軸方向側に張出している軸方向寸法が、該軸方向寸法と板部の軸方向寸法との和が一方のコアの側脚部の軸方向寸法と他方のコアの側脚部の軸方向寸法との和と等しくなるよう設定されているものである。
【発明の効果】
【０００９】
請求項１記載の発明によれば、次のような効果を奏する。
（１）ボビン円周方向にて対向している隅リブ部分が、コアを挟持するようになっているので、コアを、ケース更にはボビンに、固定できる。従って、ワニス含浸工程に移行する際において、コアをボビンに固定するための固定用治具を不要にできる。よって、生産コストを低減できる。
【００１０】
（２）２個のケースは同じものでよいので、製作するための金型は１種類でよい。従って、この点からも生産コストを低減できる。
【００１１】
請求項２記載の発明によれば、次のような効果を奏する。
（３）ケースの傾斜リブ部分のある側に取り付けるコアは、傾斜リブ部分の先端に当接することによって、傾斜リブ部分の軸方向側に張出している軸方向寸法分だけ、ボビンから軸方向に離れた状態となる。そして、傾斜リブ部分の軸方向側に張出している軸方向寸法が、該軸方向寸法と板部の軸方向寸法との和が一方のコアの側脚部の軸方向寸法と他方のコアの側脚部の軸方向寸法との和と等しくなるよう設定されているので、取り付けられた両方のコアの側脚部は先端がちょうど当接した状態となる。従って、用いる２個のＥ型コアの側脚部が、ボビンの軸方向寸法から見て余裕のある軸方向寸法を有している場合でも、両方のコアの側脚部の先端をぴったりと当接させることができる。
【００１２】
（４）ケースを、傾斜リブ部分のある側がコアのギャップを設ける側となるようにボビンに取り付ければ、傾斜リブ部分を目印にして、傾斜リブ部分のある側に、ギャップを形成したコアを取り付けることができる。従って、ギャップの位置を正確に決めることができる。
【発明を実施するための最良の形態】
【００１３】
図１は本発明のケースを用いた電流共振型コンバータトランスの斜視図、図２はその分解図である。このトランス１０は、ボビン２と、２個の同じ絶縁ケース３と、２個の同じＥ型コア４と、からなっている。但し、一方のＥ型コア４では、ギャップを形成するために、中央脚部４１の先端を所定寸法だけ研削している。
【００１４】
ボビン２は、コア４を横方向から挿入する横型のものであり、軸方向（Ｙ方向）両側に端子部２１，２２を有している。端子部２１，２２からは、多数の端子（図示せず）が突出している。ボビン２の軸方向両端には、つば２３，２４が形成されており、また、略中央には分割つば２５が形成されている。ボビン２には、巻線２６，２７が巻き付けられている。
【００１５】
トランス１０において、ケース３は、ボビン２の幅方向（Ｘ方向）の両側に取り付けられている。そして、コア４は、ケース３が取り付けられたボビン２に対して、円柱状の中央脚部４１をボビン２の孔２０に挿入させ、側脚部４２，４２をケース３，３に挿通させることにより、ボビン２に組み付けられている。
【００１６】
図３〜図７は本発明のケース３の構造を示している。図３は図２のIII矢視図、図４は図３のIV−IV断面矢視図、図５は図３のＶ−Ｖ断面図、図６は図３のVI矢視図、図７は図３のVII矢視図である。ケース３は、板部５と、板部５から張出したリブ部６と、からなっている。
【００１７】
板部５は、内面５１と外面５２とを有している。内面５１は、ボビン２のつば２３，２４，２５の外縁の湾曲部２３１，２４１，２５１（図２）に当接するように凹面となっている。外面５２は、コア４の側脚部４２の内面４２１（図２）に当接するようになっている。内面４２１は凹面であるので、外面５２は凸面となっている。即ち、板部５は図５に示すように湾曲している。
【００１８】
リブ部６は、図２に示すように、２つの側リブ部分６１と、４つの隅リブ部分６２と、２つの端リブ部分６３と、からなっている。側リブ部分６１は、板部５の、ボビン２の円周方向（Ｒ方向）の両縁から、外面５２側に張出している。２つの側リブ部分６１は、対向しており、平行である。隅リブ部分６２は、板部５の軸方向の両縁の両隅から、内面５１側と外面５２側と軸方向側の３方向に張出している。４つの隅リブ部分６２は２つずつが対向しており、対向している隅リブ部分６２は平行である。端リブ部分６３は、板部５の軸方向の両縁から内面５１側に垂直に張出している。但し、一方の端リブ部分６３は、Ｒ方向中央に、内面５１側に且つ軸方向側に傾斜して張出している傾斜リブ部分６３１を有しており、Ｒ方向両側に、垂直リブ部分６３２を有している。
【００１９】
垂直リブ部分６３２と他方の端リブ部分６３との間の軸方向寸法Ｌ１（図３）は、ボビン２の軸方向長さと同じに設定されている。
【００２０】
２つの側リブ部分６１の間隔Ｄ１（図３）、即ち、板部５１のＲ方向幅は、コア４の側脚部４２の厚さＤ２（図２）と略等しく設定されている。
【００２１】
対向している隅リブ部分６２は、対向面に緩やかで僅かな隆起部６２１を有している。隆起部６２１は、図８に示すように、軸方向の外側から内側に向けて（矢印Ａ方向に）次第に隆起しており、頂部６２１１が平坦となっている。対向している隆起部６２１間の寸法Ｗ（図３）は、コア４の支持部４３の厚さＤ３（図２）より僅かに小さく設定されている。なお、コア４においては、Ｄ３＝Ｄ２である。
【００２２】
図４に示すように、傾斜リブ部分６３１の軸方向側に張出している軸方向寸法Ｙ１は、該Ｙ１と板部５２の軸方向寸法Ｌ２（図３）との和がコア４の側脚部４２の軸方向寸法Ｌ３（図２）の２倍と等しくなるよう設定されている。
【００２３】
ボビン２に対する上記構成のケース３の取付状態は、次のようになっている。即ち、板部５の内面５１が、ボビン２のつば２３，２４，２５の外縁の湾曲部２３１，２４１，２５１に当接している。一方の端リブ部分６３の垂直リブ部分６３２が、ボビン２の軸方向の両端面の一方の端面２８に当接しており、他方の端リブ部分６３が、他方の端面２９に当接している。即ち、ケース３は、一方の端リブ部分６３の垂直リブ部分６３２と他方の端リブ部分６３とによって、ボビン２を軸方向両側から挟んだ状態となっている。この状態と、内面５１が上記湾曲部２３１，２４１，２５１に当接している状態とによって、２個のケース３は、ボビン２に固定されている。
【００２４】
次に、トランス１０において、ケース３に対するコア４の取付状態は、次のようになっている。即ち、コア４の側脚部４２の内面４２１が、ケース３の板部５の外面５２に当接している。一方のコア４の支持部４３の内面４３１（図２）が、一方の端リブ部分６３の傾斜リブ部分６３１の先端に当接しており、他方のコア４の支持部４３の内面４３１が、他方の端リブ部分６３に当接している。コア４の支持部４３の上下両面に、対向している隅リブ部分６２の内面の隆起部６２１が当接している。
【００２５】
上記構成のケース３は、取り付けられたコア４に対して、次のような作用効果を発揮している。
（１）対向している隆起部６２１間の寸法Ｗが、支持部４３の厚さＤ３より僅かに小さく設定されているので、対向している隆起部６２１は支持部４３の上下両面に圧接している。それ故、支持部４３は、対向している隅リブ部分６２によって挟持されている。従って、コア４はケース３に固定されている。一方、上述したように、ケース３はボビン２に固定されている。従って、本発明では、コア４が、ケース３を介してボビン２に強固に固定されている。それ故、ワニス含浸工程に移行する際に、コア４をボビン２に固定するための固定用治具を用いる必要が無い。よって、生産コストを低減できる。
【００２６】
（２）ケース３の傾斜リブ部分６３１のある側に取り付けられたコア４は、支持部４３の内面４３１が傾斜リブ部分６３１の先端に当接することによって、傾斜リブ部分６３１の軸方向側に張出している軸方向寸法分Ｙ１だけ、ボビン２から軸方向に離れた状態となる。そして、Ｙ１が、Ｙ１＋Ｌ２＝Ｌ３×２となるよう設定されているので、取り付けられた両方のコア４の側脚部４２は先端がちょうど当接した状態となる。従って、用いる２個のＥ型コア４の側脚部４２が、ボビン２の軸方向寸法から見て余裕のある軸方向寸法を有している場合でも、両方のコア４の側脚部４２の先端をぴったりと当接させることができる。
【００２７】
更に、上記構成のケース３を用いることにより、次のような作用効果が発揮される。
（３）２個のケース３は同じものでよいので、製作するための金型は１種類でよい。従って、この点からも生産コストを低減できる。
【００２８】
（４）ケース３を、傾斜リブ部分６３１のある側がコア４のギャップを設ける側となるようにボビン２に取り付ければ、傾斜リブ部分６３１を目印にして、傾斜リブ部分６３１のある側に、ギャップを形成したコア４を取り付けることができる。従って、ギャップの位置を正確に決めることができる。
【産業上の利用可能性】
【００２９】
本発明のケースを用いれば、固定用治具を用いることなく、コアを確実に固定した状態でワニス含浸工程への移行させることができるので、本発明は、電流共振型コンバータトランスの分野において利用価値の高いものである。
【図面の簡単な説明】
【００３０】
【図１】本発明のケースを用いた電流共振型コンバータトランスの斜視図である。
【図２】図１のトランスの分解図である。
【図３】図２のIII矢視図である。
【図４】図３のIV−IV断面矢視図である。
【図５】図３のＶ−Ｖ断面図である。
【図６】図３のVI矢視図である。
【図７】図３のVII矢視図である。
【図８】図３の拡大部分図である。
【符号の説明】
【００３１】
２  ボビン
２３，２４，２５  つば
３  ケース
４  コア
４２  側脚部
４２１  内面
５  板部
５１  内面
５２  外面
６  リブ部
６１  側リブ部分
６２  隅リブ部分
６３  端リブ部分
６３１  傾斜リブ部分
６３２  垂直リブ部分
【図１】
2005033134.tif 000003
【図２】
2005033134.tif 000004
【図３】
2005033134.tif 000005
【図４】
2005033134.tif 000006
【図５】
2005033134.tif 000007
【図６】
2005033134.tif 000008
【図７】
2005033134.tif 000009
【図８】
2005033134.tif 000010